(57)【特許請求の範囲】
【請求項１】
フォトクロミック化合物を溶解してなるフッ化アルコール溶液であって、前記フォトクロミック化合物は下式（１）に示す（ａ）および（ｂ）を必須セグメントとする共重合体であることを特徴とするフッ化アルコール溶液。
【化１】
0004803334.tif 000004
（ただし、式（１）中、Ｒ１、Ｒ２、Ｒ３およびＲ４は独立にＨまたはＣＨ３であり、Ｒ５はアルキル基またはアミド基であり、Ｒ６はフッ化アルキル基であり、Ｘは一個の水素原子を結合した炭素原子、または窒素原子であり、Ｙは酸素原子または硫黄原子である。）
【請求項２】
前記共重合体が、１´，３´，３´−トリメチル−６−（メタクリロイルオキシ）スピロ（２Ｈ−１−ベンゾピラン−２，２´−インドール）と、３−ペルフルオロオクチル−２−ヒドロキシプロピルメタクリレートとの共重合体である請求項１記載のフッ化アルコール溶液。
【請求項３】
前記フッ化アルコールが１，１，１，３，３，３−ヘキサフルオロプロパン−２−オールである請求項１または２記載のフッ化アルコール溶液。
【請求項４】
前記共重合体中のスピロピランセグメントの含有率が７０ｍｏｌ％〜９０ｍｏｌ％である請求項３記載のフッ化アルコール溶液。
【発明の詳細な説明】
【０００１】
【発明の属する分野】
本発明は、フォトクロミック化合物に係り、詳しくは、光照射によって色と共に粘性抵抗を可逆的に制御できるフォトクロミック化合物に関する。
【０００２】
【従来の技術】
電圧の印加や電場の向きを変えることにより、可逆的な弾性率や溶液粘性の変動を示す各種化合物が提案されており、使用環境における振動を吸収するダンパー、動力伝達装置、圧力変換装置等、種々の用途に利用されている。
一方、上記した電圧の印加等の装置や操作を必要とせずに化合物が可逆的な二つの異性体の形態をとり得る現象として、化合物への光の照射により可逆的に該化合物が変色するフォトクロミズムが挙げられる。フォトクロミズムを示す化合物（以下、フォトクロミック化合物という。）には、例えば、スピロピランやスピロオキサジン分子のメロシアニン構造を利用した化合物が挙げられる。そして、スピロピランやスピロオキサジン分子によれば、色と共に粘度も光照射で変化することが報告されている（Ｍ．Ｉｒｉｅ，Ａ．Ｍｅｎｊｕ，Ｋ．Ｈａｙａｓｈｉ，Ｍａｃｒｏｍｏｌｅｃｕｌｅｓ，１９８１，１２，１１７６およびＡ．Ｍｅｎｊｕ，Ｋ．Ｈａｙａｓｈｉ，Ｍ．Ｉｒｉｅ，Ｍａｃｒｏｍｏｌｅｃｕｌｅｓ，１９８１，１４，７５５参照）。
これらフォトクロミック化合物の光応答性の可逆的制御には紫外光を照射する必要があるため、紫外光によるフォトクロミック化合物の劣化が副生する。また、紫外光照射装置により設備が大型であることや、照射コストが高い問題があった。
そこで、紫外光を用いずにメロシアニン構造を安定化させる手法として、金属イオンとの錯形成が頻繁に用いられてきた。
【０００３】
【発明が解決しようとする課題】
金属イオンとの錯形成は、スピロピランやスピロオキサジンを溶媒に溶解させ、スピロピランやスピロオキサジンの分子のメロシアニン構造を、溶媒中の銅、鉛等の金属イオンとの錯形成によって安定化させるものである。しかしながら、これら金属は製品廃棄後の処理が煩雑であり、産業廃棄物の減量や有害金属の流出防止等、環境安全性の点で問題があった。
したがって、本発明の目的は、変色と共に粘度も可逆的に光応答性制御でき、制御に紫外光照射を必要とせず、またメロシアニン構造を安定化させるための金属イオンを含まないフォトクロミック化合物を提供することにある。
【０００４】
本発明者は、スピロピランセグメントまたはスピロオキサジンセグメントとフッ化アルコールセグメントとを有する共重合体であって、可視光照射に応答して、共重合体中のメロシアニン構造体とフッ化アルコールセグメントとの分子内水素結合の生起を可逆的に制御でき、さらにこの光応答性の共重合体を溶解したフッ化アルコール溶液の粘性抵抗もこの溶液に照射する光の波長（可視光と紫外光）および強度によって可逆的に調整できる共重合体を合成し、さらに諸条件を確立して上記課題を解決した。
【０００５】
【課題を解決するための手段】
上記目的を達成するため、本発明は、下式（１）に示す（ａ）および（ｂ）を必須セグメントとする共重合体がフッ化アルコールに溶解してなることを特徴とするフォトクロミック化合物を要旨とする。
【化２】
0004803334.tif 000002
ただし、式（１）中、Ｒ１、Ｒ２、Ｒ３およびＲ４は独立にＨまたはＣＨ３であり、Ｒ５はアルキル基またはアミド基であり、Ｒ６はフッ化アルキル基であり、Ｘは炭素原子、窒素原子または硫黄原子であり、Ｙは酸素原子または硫黄原子である。
【０００６】
【発明の実施の形態】
本発明のフォトクロミック化合物は、上記式（１）で示される、（ａ）のセグメントすなわちスピロピランセグメントまたはスピロオキサジンセグメントと、（ｂ）のセグメントすなわちフッ化アルコールセグメントとを、必須とする共重合体を溶質とし、フッ化アルコールを溶媒として溶解した溶液である。
式（１）中、Ｒ１、Ｒ２、Ｒ３およびＲ４は独立にＨまたはＣＨ３であり、重合体は、Ｒ１およびＲ２がＨであればアクリレート共重合体、ＣＨ３であればメタクリレート重合体である。
【０００７】
Ｒ５はアルキル基またはアミド基である。Ｒ５は、具体的にはメチル基、エチル基、ドデシル基等が例示される。
Ｒ６は、アルキル基の少なくとも１つの水素原子が弗素で置換されているフッ化アルキル基である。Ｒ６は、例えば−(ＣＦ２)６ＣＨ２ＣＨ３のように、フッ化アルコールセグメントの水酸基に近い位置の水素がフッ化されているのが好ましく、ペルフルオロアルキル基であればさらに好ましい。Ｒ６は、具体的にはトリフルオロメチル基、ペンタフルオロエチル基、ペルフルオロオクチル基、ペルフルオロドデシル基等が例示される。
Ｘは炭素原子、窒素原子または硫黄原子であり、Ｙは酸素原子または硫黄原子である。
（ａ）セグメントと（ｂ）セグメントとの重合は、ブロック状の重合であっても、交互の重合であっても良く、特に限定されない。
以下、Ｘが炭素原子でＹが酸素原子の場合、すなわち共重合体がメロシアニン構造のために（ａ）セグメントとしてスピロピランセグメントを有する場合について説明する。
【０００８】
上記共重合体におけるスピロピランセグメントは、電気的に中性なスピロピラン構造体と、分子内に双性イオンを有するメロシアニン構造体とに、光照射によって可逆的に異性化する光応答性を有する。
【０００９】
前記共重合体中のスピロピランセグメントが、メロシアニン構造体をとると、メロシアニン構造体とフッ化アルコールセグメントとに、分子内水素結合が生起する。分子内水素結合はメロシアニン構造体がスピロピラン構造体に戻ると解消する。分子内水素結合により、フォトクロミック化合物の変色及びフォトクロミック化合物を含む溶液の粘性抵抗変化を生じる。
【００１０】
図１に、本発明の実施態様の一例である、スピロピランとフッ化アルコールとのメタクリレート共重合体のフッ化アルコール溶液（実線）と、このスピロピラン単量体のフッ化アルコール溶液（破線）との、暗所下の高粘性時における紫外可視吸収スペクトルを示す。なお、図１ではスピロピランのメタクリレート（以下、ＳＰＭＡという。）として１´，３´，３´−トリメチル−６−（メタクリロイルオキシ）スピロ（２Ｈ−１−ベンゾピラン−２，２´−インドール）を使用し、フッ化アルコールのメタクリレート（以下、ＦＨＭＡという。）として３−ペルフルオロオクチル−２−ヒドロキシプロピルメタクリレートを使用し、溶液中の溶媒であるフッ化アルコールには、１，１，１，３，３，３−ヘキサフルオロプロパン−２−オール（以下、ＨＦＰという。）を使用した。
【００１１】
上記共重合体のＨＦＰ溶液は、暗所下では共重合体中のスピロピランセグメントが異性化してメロシアニン構造をとるため着色する。ただし、スピロピラン単量体のＨＦＰ溶液と比べると若干色合いが異なる橙色である。
すなわち、図１に示すように、共重合体の吸収スペクトルには、重合前のスピロピラン単量体にはない、可視領域における長波長側の吸収帯が現れる。
このとき、次の式（２）に示すように、共重合体内で開環したメロシアニン構造体の酸素イオンと、同一分子内のフッ化アルコールセグメントの水酸基の水素との間に分子内水素結合が生起している。なお、式（２）中、ｎはセグメントのモル比を示し、０＜ｎ＜１である。
【化３】
0004803334.tif 000003
【００１２】
上記暗所下にあった共重合体溶液に、外部から可視光（＞４２０ｎｍ）を照射する。すると、メロシアニン構造体が閉環してスピロピラン構造体に異性化するため、前記の可視領域の吸収帯は消失し、共重合体溶液は無色透明となる。そして、これまで同一分子内で水素結合していた共重合体内のフッ化アルコールセグメントは、他の分子中のフッ化アルコールセグメントと水素結合するようになり、架橋構造が形成されて共重合体自体はゲル化する。ゲル化した共重合体は溶媒のフッ化アルコール中で浮遊するため、溶液全体の粘性は低下する。
【００１３】
可視光の照射を停止し、共重合体溶液を暗所中に置くと、再度、共重合体中のスピロピランセグメントはメロシアニン構造となり、同一分子内のフッ化アルコールセグメントと水素結合するため、架橋構造のフッ化アルコールセグメント同士の水素結合が切断される。
このとき、共重合体溶液は再度橙色に着色し、また、ゲル化した共重合体は再度溶媒中に溶解して溶液全体の粘度は上昇する。
【００１４】
上記で、可視光を照射せずに暗所中に置く際に、紫外光の照射で代用しても良く、ここで、次に可視光を照射する際は同時に紫外光照射を停止する。
【００１５】
上記した共重合体溶液の光応答性は、光の照射時間と同様に光の照射強度にも対応する。例えば暗所下にあった橙色の共重合体溶液に可視光を照射する場合、可視光の照射強度や照射時間により、溶液の無色透明化および粘性低下の進行を制御することができる。
【００１６】
図２は、図１で用いたと同じ溶液を可視光照射後に暗所で放置した際の、５５０ｎｍの吸光度で表した着色と動粘度との経時変化を示すグラフである。共重合体中のスピロピランセグメントのスピロピラン構造体からメロシアニン構造への経時変化と、動粘度の経時変化とが一致していることから、スピロピランセグメントの構造異性化を誘起する可視光照射の有無によって共重合体溶液の粘性を制御できるのがわかる。
【００１７】
共重合体のフッ化アルコール溶液は、溶質の共重合体濃度が高いほど、粘性抵抗に大きな変化が得られるため好ましい。ただし、共重合体中のスピロピランセグメントの含有率が少なすぎると、共重合体のフッ化アルコール溶媒への溶解性が暗所下においてさえも減少する。スピロピランセグメントの含有率は、例えば前記の式（２）の場合では共重合体中のスピロピランセグメント／（スピロピランセグメント＋フッ化アルコールセグメント）のモル比の値ｎにあたる。共重合体中のスピロピランセグメントの含有率は、フッ化アルコール溶媒への共重合体の溶解性、要求される特性等に合わせて適宜選択される。例えば、上記実施態様で例示したＨＦＰ溶液の場合は、上記共重合体をＨＦＰに高濃度で溶解させるためには、共重合体中のスピロピランセグメントの含有率は、共重合体中の７０ｍｏｌ％以上であるのが好ましい。
【００１８】
一方、フッ化アルコールセグメントからの分子内水素結合供与のためには、ある程度の量のフッ化アルコールセグメントが必要であるため、共重合体のスピロピランセグメントの含有率は９０ｍｏｌ％以下であるのが好ましい。
【００１９】
溶媒のフッ化アルコールは、溶質である共重合体の溶解性が高いもの、水素結合供与性が高いもの、光に対する応答速度の速いもの等が好ましい。具体的にはＨＦＰの他、例えば２，２，２−トリフルオロエタノールや、２−フルオロエタノール等が挙げられる。このうち、共重合体の溶解性が高く粘性変化の幅が広い点でＨＦＰが好ましく、また、光に対する応答速度が速い点では２，２，２−トリフルオロエタノールが好ましい。
【００２０】
以上、ＳＰＭＡとして１´，３´，３´−トリメチル−６−（メタクリロイルオキシ）スピロ（２Ｈ−１−ベンゾピラン−２，２´−インドール）、ＦＨＭＡとして３−ペルフルオロオクチル−２−ヒドロキシプロピルメタクリレートを使用した場合について説明したが、式（１）における他のスピロピラン、他のフッ化アルコールやアクリレートを使用したフォトクロミック化合物についても同様な光応答性を有する。さらに、スピロピランは式（１）における（ａ）セグメントのＸが炭素原子、Ｙが酸素原子の場合であるが、他のＸ、Ｙの組み合わせの場合も同様である。
さらに、共重合体中には、式（１）の（ａ）および（ｂ）のセグメント以外に、必要に応じて、他のセグメントを含んでも良い。これには、例えばエチレン性不飽和基を有する化合物を使用できる。
【００２１】
【実施例】
以下に、本発明を実施例によって具体的に説明する。なお、本実施例により本発明を限定するものではない。
（実施例１）
スピロピランメタクリレート（ＳＰＭＡ）の合成：▲１▼  １´，３´，３´−トリメチル−６−ヒドロキシスピロ（２Ｈ−１−ベンゾピラン−２，２´−インドール）  ４．７２ｇ（０．０１６１ｍｏｌ）（ACROS  ORGANICS社製、純度９９％、FW  ２９３．３７、品番42192-0050）をトルエン（関東化学社製、特級、純度９９．５％、沸点１１０．６２５℃）  ２８ミリリットルに溶解させた。
▲２▼  メタクリル酸クロライド（ACROS  ORGANICS社製、７６０ｍｍＨｇの沸点９５〜９６℃）  １．８４ｇ（０．０１７６ｍｏｌ）を、トルエン（同上）  １４ミリリットルに溶解させた。
▲３▼  別に、トリエチルアミン（以下、ＴＥＡという。）（和光純薬社製、純度９９％、品番202-02646）  １．７９ｇ（０．０１１４ｍｏｌ）を用意した。また、アンモニア（関東化学社製、純度２８．０〜３０．０％、品番01266-00）  ４００ミリリットルの純水  １００ミリリットル溶液を１単位として、５単位用意した。
▲４▼  二口なすフラスコ内に上記▲１▼で得たスピロピランのトルエン溶液と、上記▲３▼のＴＥＡとを投入し、二口なすフラスコの一つの口には球入冷却器、もう一方の口には円筒型分液ロートを装着した。二口なすフラスコを６０℃に保温しながら円筒型分液ロートで上記▲２▼のメタクリル酸クロライドのトルエン溶液を少しずつ滴下した後、２４時間反応させた。なお、この反応で発生した塩酸は、ＴＥＡで中和された。２４時間後に、反応溶液から未反応のメタクリル酸クロライドとＴＥＡを取り除くために、反応溶液をトルエン１００ミリリットルで希釈し、次いで分液ロート内に移して上記▲３▼のアンモニア水溶液を１単位加えた。分液ロートを振り混ぜ、静置して下層のアンモニア水溶液を取り出し、残りの▲３▼のアンモニア水溶液の１単位を加え、同様にして分液を計５回繰り返した。
▲５▼  アンモニア水溶液の代わりに純水を１００ミリリットル加え、同様にしてｐＨが７になるまで計５回分液を繰り返した。
▲６▼  分液ロート上層の液を、エバポレータによってトルエンを蒸発させ、次いで減圧乾燥させた。これによって得られた褐色固体をジクロロメタンに溶かしてカラムクロマトグラフィにかけ、不純物を分離した。カラムはシリカゲル（関東化学社製、品番：9385-4M、Ｒｆ：０．８６）展開溶媒はジクロロメタンを使用した。
▲７▼  カラムから排出した液を、エバポレータでジクロロメタンを蒸発させ、次いで減圧乾燥させてスピロピランメタクリレート（ＳＰＭＡ）単量体である、１´，３´，３´−トリメチル−６−（メタクリロイルオキシ）スピロ（２Ｈ−１−ベンゾピラン−２，２´−インドール）を１．１１ｇ（収率２３．５％）得た。
【００２２】
共重合体の合成：上記で得たＳＰＭＡ単量体の１´，３´，３´−トリメチル−６−（メタクリロイルオキシ）スピロ（２Ｈ−１−ベンゾピラン−２，２´−インドール）  （分子量３６１．４４）を５００ｍｇ（１．３８ｍｍｏｌ）用意した。また、フッ化アルコールのメタクリレート（ＦＨＭＡ）として３−ペルフルオロオクチル−２−ヒドロキシプロピルメタクリレート（分子量５６２．２２）をＳＰＭＡと等モル比の７８０ｍｇ（１．３９ｍｍｏｌ）用意した。
他に、ＤＭＳＯ  ８ミリリットル、重合開始剤ＡＩＢＮ  ７．６ｍｇ（ＳＰＭＡとＦＨＭＡの合計モル数の１／６０）、重合禁止剤ハイドロキノン（東京化成工業社製、９９．０％、品番Ｈ０１８６）  １５ｍｇ、純水を用意した。
【００２３】
まず、ＳＰＭＡとＦＨＭＡを、各々ＤＭＳＯの４ミリリットルずつに溶かして得た２種の溶液を、一つの口には球入冷却器、もう一方の口にはゴム栓付きパスツールピペットを装着した二口なす形フラスコに入れて混合した。
前記フラスコ内に乾燥窒素をパスツールピペットから２０分間フローさせて装置内から湿気および空気を除去した。
オイルバスでフラスコの温度を６０℃に上げ、重合開始剤を加えて２時間反応させた後、重合禁止剤を加えて反応を止めた。
【００２４】
フラスコ内の反応生成物を、大量の純水中に少しずつ滴下して沈殿精製した。
この沈殿を、ろ紙で濾別した後、さらに減圧乾燥して１´，３´，３´−トリメチル−６−（メタクリロイルオキシ）スピロ（２Ｈ−１−ベンゾピラン−２，２´−インドール）と３−ペルフルオロオクチル−２−ヒドロキシプロピルメタクリレートとの共重合体（Ｐ（ＳＰＭＡ−ＦＨＭＡ））  ８９０ｍｇ（収率６９．５％）を得た。この共重合体中の各セグメントのモル比を、１Ｈ−ＮＭＲ測定による各部位の積分比から算出したところ、ＳＰＭＡ：ＦＨＭＡは７１：２９であり、すなわちスピロピランセグメント含有率は７１ｍｏｌ％であった。
【００２５】
上記で得たＰ（ＳＰＭＡ−ＦＨＭＡ）  ３３ｍｇを、１，１，１，３，３，３−ヘキサフルオロプロパン−２−オール（ＨＦＰ）  １０ミリリットルを溶媒として溶解して８．０ｍＭ濃度のＨＦＰ溶液を調製した。このＨＦＰ溶液の粘度および紫外可視吸収スペクトルを、暗室、室温の条件で、以下のように測定した。
【００２６】
（粘度測定）
前記で調製した橙色のＰ（ＳＰＭＡ−ＦＨＭＡ）のＨＦＰ溶液を暗所下で２４時間放置して平衡状態とした。次いで、キセノンランプから紫外光をフィルターを介して除いた可視光を約１０分間照射した後、照射を終了した。このとき溶液は、十分に色が薄く、無色透明に近くなっていた。
照射終了直後の溶液をウベローデ粘度計（ＳＩＢＡＴＡ社製。使用粘度範囲  １〜５ｃＳｔ）を用いて粘度測定し、さらに１０分おきに照射終了から合計６０分間、粘度の経時変化を測定した。
【００２７】
（スペクトル測定）
上記で調製した共重合体Ｐ（ＳＰＭＡ−ＦＨＭＡ）のＨＦＰ溶液を暗所下で２４時間放置して平衡状態とした後、紫外可視吸収スペクトルを測定した。比較のために、ＳＰＭＡ単量体である、１´，３´，３´−トリメチル−６−（メタクリロイルオキシ）スピロ（２Ｈ−１−ベンゾピラン−２，２´−インドール）の８．０ｍＭ濃度ＨＦＰ溶液の紫外可視吸収スペクトルも同様に測定した。図１に、共重合体溶液の吸収スペクトルを実線で、単量体溶液の吸収スペクトルを破線で示す。
【００２８】
別に、上記で粘度を測定した後のＨＦＰ溶液を１ｍｍ光路長の石英セルに入れ、溶液が無色透明に近くなるまで、キセノンランプから紫外光をフィルターを介して除いた可視光を約１分間照射した。照射を終了し直ちに紫外可視吸収スペクトルの経時測定を１分おきに合計６０分間おこなった。図２に、紫外可視吸収スペクトルのうち波長５５０ｎｍにおける吸光度（右軸）の経時変化を破線で、上記で測定した粘度（左軸）の経時変化を実線で示す。
【００２９】
【発明の効果】
本発明のフォトクロミック化合物によれば、可視光照射で無色化および粘性減少し、可視光照射停止で発色および粘性増加し、紫外光照射を要さずに幅広い変色および粘性変化を可逆的に光応答性制御できる。また、メロシアニン構造の安定化のために頻繁に用いられる手法である金属イオンの混合を行わないため、使用後の廃棄が容易である。
【図面の簡単な説明】
【図１】本発明のフォトクロミック化合物の一例である、スピロピランとフッ化アルコールとのメタクリレート共重合体（Ｐ（ＳＰＭＡ−ＦＨＭＡ））のフッ化アルコール溶液（実線）と、そのスピロピラン単量体であるＳＰＭＡのフッ化アルコール溶液（破線）との、暗所下の高粘性時における紫外可視吸収スペクトルを示すグラフである。
【図２】図１の共重合体のフッ化アルコール溶液を可視光照射後に暗所下に静置した経時変化を示すグラフであって、実線は動粘度（左軸）を、破線は５５０ｎｍにおける吸光度で示した着色（右軸）を示す。
【図１】
0004803334.tif 000005
【図２】
0004803334.tif 000006